(57)【要約】【課題】利用者の手足の自由を確保しつつ、姿勢不良が原因で生じる身体への負担や危険を軽減するとともに、装着感の向上を図ることができる座位保持具を提供する【解決手段】座位保持具１０は、利用者５０の上体正面５２から股部５４までを覆うカバー体１２と、それに接続された肩ベルト２０，胴ベルト３８及び４０，股下ベルト４２を備えている。前記各ベルトは、利用者５０が車椅子８０に掛けた状態において、車椅子８０の背もたれ背面８４Ｂ側へ回して、その端部同士をバックル３２，３４，３６により連結可能な長さに設定されている。また、前記カバー体１２の下部１６は、利用者５０の股部５４に沿うように、略逆三角形に形成されている。前記肩ベルト２０，胴ベルト３８及び４０，股下ベルト４２を、背もたれ背面８４Ｂ側で連結固定すると、適切な張力で利用者５０の座位を保持することができる。【選択図】図１
2008023061.tif 000002
【特許請求の範囲】
【請求項１】
椅子に掛ける利用者の胸部から股部までを覆うカバー体，
前記カバー体の上部両端側から、前記利用者の肩を通って前記椅子の背もたれの背面側に回される一対のベルトの端部を、前記利用者の頭部を通せるように閉じた肩ベルト，
前記カバー体の腹部両縁から、前記利用者の腹部両側面を通って前記背もたれの背面側に回される一対の胴ベルト，
前記カバー体の下端側から、前記利用者の大腿部の間と前記椅子の座面裏側を通って、前記背もたれの背面側に回される股下ベルト，
前記肩ベルト，一対の胴ベルト，股下ベルトの端部同士を、前記背もたれの背面側で連結する連結手段，
を備えたことを特徴とする座位保持具。
【請求項２】
前記カバー体の下端側を、前記利用者の股部に沿って徐々に幅が狭くなるように形成したことを特徴とする請求項１記載の座位保持具。
【請求項３】
前記肩ベルトの一対のベルトに、パッドを設けたことを特徴とする請求項１又は２記載の座位保持具。
【請求項４】
前記肩ベルト，一対の胴ベルト，股下ベルトの長さを調節可能としたことを特徴とする請求項１〜３のいずれかに記載の座位保持具。
【請求項５】
前記カバー体に、前記利用者の腹部から大腿部を覆う補助カバーを設けたことを特徴とする請求項１〜４のいずれかに記載の座位保持具。
【請求項６】
前記カバー体又は補助カバーに、ポケットを設けたことを特徴とする請求項１〜５のいずれかに記載の座位保持具。
【発明の詳細な説明】
【技術分野】
【０００１】
本発明は、椅子に掛けた利用者の姿勢を保持する座位保持具に関し、更に具体的には、利用者の身体に掛かる負担軽減と装着感の改善に関するものである。
【背景技術】
【０００２】
従来、車椅子の利用者の姿勢（座位）は、車椅子に装備されているシートベルト又はＹ字ベルトの着用や、座面・背もたれの調整、あるいは、クッション類の使用により保たれている。しかしながら、車椅子の利用者は、身体機能が低下している場合が多いため、上述した手段だけでは、不良姿勢（座位の崩れ）を完全に予防するのは困難である。不良姿勢（滑り座り，斜め座り，前かがみ座り，その他複合する姿勢など）は、座位時間の短縮，身体活動性（上肢機能，摂食の嚥下，心肺機能など）の低下，移動能力の低下，関節の変形・拘縮，内臓機能の低下など、様々な身体への影響を及ぼす。このため、座位を保持して、不良姿勢が原因で起こる身体への影響や危険などの弊害を予防・緩和することが重要である。
【０００３】
車椅子利用者の身体を固定する技術としては、例えば、以下の特許文献１及び２に示す技術がある。前記特許文献１の「車椅子の乗員保持構造」には、左右の側壁部の内面に、乗員の体型に応じた着座空間に調節するための身体保持用の調節ベルトを設けることが記載されている。また、前記特許文献２に記載の「車椅子」には、搭乗者の身体を複数のシートベルトによって拘束することが開示されている。
【特許文献１】特開２００５−１３４６２公報
【特許文献２】特開２００６−１２２１６１公報
【発明の開示】
【発明が解決しようとする課題】
【０００４】
しかしながら、以上のような背景技術には次のような不都合がある。まず、前記特許文献１に記載の技術では、腹部付近のみをベルトで固定することから、上体の左右への傾きや、身体の前滑りなどを防止しにくいという不都合がある。また、前記特許文献２に記載の技術では、上体をバランスよく固定することはできても、ベルトで身体の複数の位置を押さえるため、利用者にとって快適な装着感が得られるとは言いがたい。更に、上述したいずれの技術も車椅子での使用しかできないが、一般家庭の椅子や車両の座席に座るときなど、車椅子利用時に限らず座位の保持が必要とされる場面は、日常生活の中で多々存在する。
【０００５】
本発明は、以上の点に着目したもので、その目的は、利用者の手足の自由を確保しつつ、姿勢不良が原因で生じる身体への負担や危険を軽減するとともに、装着感の向上を図ることができる座位保持具を提供することである。
【課題を解決するための手段】
【０００６】
前記目的を達成するため、本発明は、椅子に掛ける利用者の胸部から股部までを覆うカバー体，前記カバー体の上部両端側から、前記利用者の肩を通って前記椅子の背もたれの背面側に回される一対のベルトの端部を、前記利用者の頭部を通せるように閉じた肩ベルト，前記カバー体の腹部両縁から、前記利用者の腹部両側面を通って前記背もたれの背面側に回される一対の胴ベルト，前記カバー体の下端側から、前記利用者の大腿部の間と前記椅子の座面裏側を通って、前記背もたれの背面側に回される股下ベルト，前記肩ベルト，一対の胴ベルト，股下ベルトの端部同士を、前記背もたれの背面側で連結する連結手段，を備えたことを特徴とする。
【０００７】
主要な形態の一つは、前記カバー体の下端側を、前記利用者の股部に沿って徐々に幅が狭くなるように形成したことを特徴とする。他の形態は、前記肩ベルトの一対のベルトに、パッドを設けたことを特徴とする。更に他の形態は、前記肩ベルト，一対の胴ベルト，股下ベルトの長さを調節可能としたことを特徴とする。更に他の形態は、前記カバー体に、前記利用者の腹部から大腿部を覆う補助カバーを設けたことを特徴とする。更に他の形態は、前記カバー体又は補助カバーに、ポケットを設けたことを特徴とする。本発明の前記及び他の目的，特徴，利点は、以下の詳細な説明及び添付図面から明瞭になろう。
【発明の効果】
【０００８】
本発明は、利用者の胸部から股部までを覆うカバー体に接続された肩ベルト，胴ベルト，股ベルトを、椅子の背もたれ背面側に回して、それらの端部同士を連結固定することで、利用者の手足の自由を確保しながら、安全で快適な座位を保持し、不良姿勢が原因で生じる身体への負担や危険を軽減できるという効果が得られる。
【発明を実施するための最良の形態】
【０００９】
以下、本発明を実施するための最良の形態を、実施例に基づいて詳細に説明する。
【実施例１】
【００１０】
最初に、図１及び図２を参照しながら、本発明の実施例１を説明する。図１は本実施例の使用状態を示す図、図２は本実施例の構成を示す平面図である。本実施例の座位保持具は、本発明を車椅子用に適用した例である。図１及び図２に示すように、本実施例の座位保持具１０は、車椅子８０の利用者５０の座位を保つためのものであって、前記利用者５０の上体正面５２から股部５４までを覆うカバー体１２と、肩ベルト２０，胴ベルト３８及び４０，股下ベルト４２などにより構成されている。前記車椅子８０は、座面８２，背もたれ８４，肘掛８６，主車輪８８，足置き９０などからなる公知の構成である。
【００１１】
前記カバー体１２は、利用者５０の胸部からウエスト６２付近までを覆う上部１４と、前記ウエスト６２から股部５４までの下腹部を覆う下部１６により構成されている。前記上部１４は、胸部を覆うように幅広に形成されており、下部１６は、前記股部５４に沿って徐々に幅が狭くなるように、略逆三角形状に形成されている。また、前記上部１４の上端１４Ａは、胸元に沿うように緩やかな曲線状に形成されている。前記上部１４と下部１６は、本実施例では縫製により接合されているが、予め上部１４と下部１６を一体に形成するようにしてもよい。また、必要に応じて、前記利用者５０の腹部から大腿部５６までを覆う膝カバー（ないし補助カバー）１８を設け、汚れ防止，保温，見栄えの向上などを図るようにしてもよい。以上のようなカバー体１２や膝カバー１８は、例えば、布やビニールシートなどにより形成される。
【００１２】
次に、前記肩ベルト２０は、前記カバー体１２の上端１４Ａの両側端近傍に一端が接続された一対のベルト２０Ａ，２０Ｂにより構成されている。該一対のベルト２０Ａ，２０Ｂの他方の端部同士は閉じられており、該ベルト２０Ａ，２０Ｂとカバー体上端１４Ａにより形成される空間に、前記利用者５０の頭部５８を通すことができるようになっている。これら一対のベルト２０Ａ，２０Ｂは、前記利用者５０の肩６０を通過して、車椅子８０の背もたれ８４の背面８４Ｂ側まで回せる長さに設定されている。また、肩６０に当たる部分には、柔らかい素材などにより形成された肩パッド２２Ａ，２２Ｂが設けられている。以上のような肩ベルト２０の端部には、調節具２４を介して連結ベルト２６が接続されている。該連結ベルト２６は、リング２８に通したのちに、端部２６Ａを前記調節具２４のバー２４Ａに固定することにより、長さ調節が可能となっている。更に、前記連結ベルト２６には、リング２８を介して十字ベルト３０が接続されている。該十字ベルト３０の３つの自由端には、バックル３２，３４，３６を構成するメス部３２Ｂ，３４Ｂ，３６Ｂが設けられている。
【００１３】
一方、前記カバー体１２の上部１４と下部１６の接合部，すなわち、利用者５０のウエスト６２付近には、一対の胴ベルト３８，４０が設けられている。該胴ベルト３８，４０は、前記利用者５０のウエスト６２の側面を通って、前記背もたれ背面８４Ｂ側まで回すことができる長さに設定されるとともに、端部には、前記バックル３４，３６を構成するオス部３４Ａ，３６Ａが設けられている。なお、該オス部３４Ａ，３６Ａは、長さ調節機能を有しており、前記胴ベルト３８，４０の長さを、利用者５０の体形に合わせて調節することが可能となっている。また、前記カバー体１２の下部１６の下端には、前記利用者５０の大腿部５６の間から、前記座面８２の裏面８２Ａ側を通って、前記背もたれ背面８４Ｂ側まで回すことができる長さの股下ベルト４２が設けられている。該股下ベルト４２の先端にも、バックル３２を構成する長さ調節機能を備えたオス部３２Ａが設けられている。前記各ベルトとしては、例えば、ナイロンベルトが用いられ、バックル３２，３４，３６や、調節具２４及びリング２８としては、例えば、樹脂や金属製のものが用いられる。
【００１４】
次に、図１を参照して本実施例の作用を説明する。なお、図１(B)及び(C)は、本実施例の装着状態の理解を容易にするために、利用者を図示せずに、座位保持具１０を直接車椅子８０に装着した状態を示している。まず、車椅子８０に掛けた利用者５０の頭部５８に、肩ベルト２０を通して、カバー体１２を利用者５０の上体正面５２側へ垂らし、連結ベルト２６及び十字ベルト３０を車椅子８０の背もたれ背面８４Ｂ側へ垂らす。次に、前記一対の胴ベルト３８，４０を、利用者５０のウエスト６２の側面から前記背もたれ背面８４Ｂ側へ回し、バックル３４，３６のオス部３４Ａ，３６Ａを、図１(C)に示すように、前記十字ベルト３０に設けられたメス部３４Ｂ，３６Ｂに差し込んで連結する。また、前記股下ベルト４２を、車椅子８０の座面８２の正面側から裏面８２Ａ側へ通し、更に背もたれ背面８４Ｂ側へ回して、オス部３２Ａを前記十字ベルト３０のメス部３２Ｂへ差し込んで連結する。
【００１５】
この状態では、カバー体１２に接続された肩ベルト２０，胴ベルト３８及び４０，股下ベルト４２の全ての端部が、程よい張力で背もたれ背面８４Ｂ側で連結されている。すなわち、車椅子８０の座面８２や背もたれ８４に触れている利用者５０の上体や大腿部５６を、車椅子８０ごと前記カバー体１２及び各ベルトで包み込むようになり、適切な座位を保持することができる。なお、前記各ベルトの長さは、利用者５０の体形に応じて、前記調節具２４，オス部３２Ａ，３４Ａ，３６Ａにより調節される。
【００１６】
このように、実施例１によれば、次のような効果がある。
(1)利用者５０の上体正面５２から股部５４までを覆うカバー体１２に接続された肩ベルト２０，胴ベルト３８及び４０，股下ベルト４２を、車椅子８０の背もたれ背面８４Ｂに回し、それらの端部同士を連結固定することとした。このため、利用者５０の手足の自由を確保しながら、安全で快適な座位を保持し、利用者５０の身体に掛かる負担や危険を軽減することができる。
(2)前記カバー体１２の下部１６を略逆三角形とし、利用者５０の股部５４に沿った形状としたので、快適な装着感が得られる。
(3)前記肩ベルト２０を構成するベルト２０Ａ，２０Ｂに、肩パッド２２Ａ，２２Ｂを設けることとしたので、摩擦，衝撃，位置ずれなどの軽減を図ることができる。
(4)前記肩ベルト２０，胴ベルト３８及び４０，股下ベルト４２の長さを調節可能としたので、利用者５０の体形に応じた適切な長さで使用することができる。
(5)前記車椅子８０から着脱可能なため、携帯して利用することができる。
(6)前記肩ベルト２０，胴ベルト３８及び４０，股下ベルト４２を利用者５０の身体の周りに回せばよいため、装着が容易である。
(7)必要に応じて膝カバー１８を設けることとしたので、汚れ防止，保温，見栄えの向上などの効果を得ることができる。
【００１７】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法，材質は一例であり、必要に応じて適宜変更してよい。
(2)前記肩パッド２２Ａ，２２Ｂや、膝カバー１８は必要に応じて設けるようにすればよく、また、着脱可能な構成としてもよい。
(3)前記実施例に示したベルトの長さ調節機構や連結機構も一例であり、同様の効果を奏するものであれば、公知の各種の機構を適用してよい。例えば、前記実施例では、バックルオス部３２Ａ，３４Ａ，３６Ａ側でベルトの長さ調節を行うこととしたが、メス部３２Ｂ，３４Ｂ，３６Ｂ側で調節を行うような構成としてもよい。
(4)前記カバー体１２や膝カバー１８に、図示しないポケットを設け、携帯品や介護用品などを収納するようにしてもよい。
(5)前記胴ベルト３８，４０や、股下ベルト４２の余った端部が邪魔にならないように、前記胴ベルト３８，４０，股下ベルトなどに端部を固定する手段を設けるようにしてもよい。
(6)前記実施例では、車椅子８０に座位保持具１０を適用することとしたが、本発明は、座面と背もたれを備えたものであれば、一般家庭の椅子や、座椅子，車のシートなど、公知の各種の椅子に適用可能である。
【産業上の利用可能性】
【００１８】
本発明によれば、利用者の胸部から股部までを覆うカバー体に接続された肩ベルト，胴ベルト，股下ベルトを、椅子の背もたれの背面側に回して、それらの端部同士を連結固定することとしたので、座位保持具の用途に適用できる。特に、介護用の座位保持具の用途に好適である。
【図面の簡単な説明】
【００１９】
【図１】本発明の実施例１の使用状態を示す図である。
【図２】前記実施例１の構成を示す平面図である。
【符号の説明】
【００２０】
１０：座位保持具
１２：カバー体
１４：上部
１４Ａ：上端
１６：下部
１８：膝カバー（補助カバー）
２０：肩ベルト
２０Ａ，２０Ｂ：ベルト
２２Ａ，２２Ｂ：肩パッド
２４：調節具
２４Ａ：バー
２６：連結ベルト
２６Ａ：端部
２８：リング
３０：十字ベルト
３２，３４，３６：バックル
３２Ａ，３４Ａ，３６Ａ：オス部
３２Ｂ，３４Ｂ，３６Ｂ：メス部
３８，４０：胴ベルト
４２：股下ベルト
５０：利用者
５２：上体正面
５４：股部
５６：大腿部
５８：頭部
６０：肩
６２：ウエスト
８０：車椅子
８２：座面
８２Ａ：裏面
８４：背もたれ
８４Ａ：正面
８４Ｂ：背面
８６：肘掛
８８：主車輪
９０：足置き
【図１】
2008023061.tif 000003
【図２】
2008023061.tif 000004